(57)【要約】      （修正有）【課題】１種のシートをもってフード付きのポンチョ，寝袋，タープテント，シェルターに変形して兼用することのできる兼用シートを提供し、各種の用具をそれぞれ個別に携行する不便さを解消した兼用シートを提供する。【解決手段】シートを一定の形状、大きさにて形成するとともに、シート５の中心部に円形孔６を設けてフード７を取付け、また四周に紐通し輪を含む止め部を設けて、シート５をフード付きのポンチョ、寝袋およびタープテント，シェルター用のシートに兼用することができるようにした兼用シートである。【選択図】図１
0003107180.tif 000002
【実用新案登録請求の範囲】
【請求項１】
円曲形に突出した上端１とわずかに下狭の傾斜を附した左右側端２，３と扁平な下端４とからなる一定大きさのシート５を形成し、該シート５の中心部に円形孔６を設け、該円形孔６の孔縁に続いてフード７を取付け、該円形孔６の中間をもとに上下端１，４を合わせる方向にシート５を折り曲げることによりフード付きポンチョとし、シート５を左右側端２，３の合わせ止めと、下端４の合わせ閉じにて寝袋とするようにしたことを特徴とする兼用シート。
【請求項２】
上端１に沿って引き絞り用の通し紐を設けた請求項１記載の兼用シート。
【請求項３】
シートの四周に間隔を置いて紐等の通し輪を含む止め部を設けて、シートをタープテント，シェルターの組立て用のシートとする請求項１または２に記載の兼用シート。
【考案の詳細な説明】
【技術分野】
【０００１】
この考案はフード付きのポンチョ，寝袋、タープテント（日除けテント）やシェルター（風雨避難テント）用に兼用可能なシートに関するものである。
【背景技術】
【０００２】
従来は登録第３０５５３６３号実用新案のフード付きポンチョ、実開平５−８９７３４号のタープテントがあるように、ポンチョ，テントなどを個別に独立して形成してきている。
【特許文献１】登録第３０５５３６３号実用新案公報
【特許文献２】実開平５−８９７３４号公報
【考案の開示】
【考案が解決しようとする課題】
【０００３】
しかしながら、フード付きのポンチョおよびタープテントなどを別々に用意することは、重量などが嵩んで持ち運びを容易でないものにしているという課題がある。
【課題を解決するための手段】
【０００４】
本考案は、シートを一定の形状、大きさににて形成するとともに、シートの中心部に円形孔を設けてフードを取付け、また四周に紐通し輪を含む止め部を設けて、シートをフード付きのポンチョ、寝袋およびタープテント，シェルター用のシートに兼用することができるようにして、かかる課題を解決するようにしたのである。
【考案の効果】
【０００５】
本考案は一定大きさに形成するシートをもって、フード付きのポンチョ，寝袋，タープテントおよびシェルターの４通りに兼用使用することができるようにしたので、シート材料を節約し、特に兼用形としたので、４種等多種のものを軽量化して著しく持ち運びしやすいものにするというすぐれた効果を生ずる。
【０００６】
上端を円曲形に突出したので、寝袋としたときに顔を除く頭部全体を形よく包み込むことができ、さらに上端に沿って引き絞り用の通し紐を設けたことにより巾着様に引き絞って隙間風などが入らないようにして覆うことができるという効果を生ずる。
【０００７】
シートの左右側端に下狭の傾斜を附したので、使用者の広い肩部分から狭い足元までごく自然にフィットして窮屈さを感じさせないとともに暖かさを逃さないという効果を生ずる。
【考案を実施するための最良の形態】
【０００８】
上端を弛るい円曲形とし、左右側端に僅かな下狭テーパーを附し、下端を扁平とした一定大きさのシートを形成し、このシートの中心部に円形孔を設け、該円形孔の孔縁に続いてフードを取付けて、フード付きのポンチョ，寝袋の兼用シートとしたのである。
【０００９】
またシートの四周に間隔を置いて紐通し輪を含む止め部を設けてタープテントおよびシェルター組立て用のシートとするのである。
【実施例１】
【００１０】
図１は弛るい円曲形に突出した上端１とわずかな下狭傾斜を附した左右側端２，３と、扁平な下端４とからなる一定の大きさのシート５を示している。シート５の中心部に円形孔６を設け、その孔縁６ａより外方に向けてフード７を取付けている。なお、フード７は小さく平らに折畳んで平面ファスナーなどのバンド（図示してない）にて収納止めすることができるようにしている。
【００１１】
図２（ａ），（ｂ）はこのシート５を中心の円形孔６の中間をもとに上下端１，４を合わせる方向に折り曲げ、フード７を展開してフード付きのポンチョ８とした例を示している。７ａはフード７の引き絞り紐である。
【００１２】
図３（ａ），（ｂ）はシート５の左右側端２，３を合わせ止め、下端４の合わせ閉じにて寝袋９とした例を示している。合わせ止めと合わせ閉じはそれぞれファスナー１０の咬合にて行うようにするのである。シート５の左右側端２，３に下狭傾斜を附したので、広い肩部分から狭い足元に向けてごく自然のフィット感が得られるものとなる。またシート５の上端１を円曲形に突出して形成し、また上端１に沿って引き絞り用の通し紐１ａを設けたので、顔面を除いて頭部全体を隙間なく包み込むことができるものとなる。
【００１３】
図４（ａ），（ｂ）はシート５を用いてタープテント１１を組立てた例を示している。図４（ａ）に示すように組立てたテント支柱１２，１２を用いて、または図４（ｂ）に示すように立木の枝などを利用してシート５を天張りし、さらに周囲をロープ１３で張り支えすることで簡単に日除け用のタープテント１１とすることができる。シート５の四周に一定の間隔を置いて設ける紐通し輪１４を止部１５として用いてテント支柱１２に固定し，また枝，地面などにロープ１３張り支えしてシート５を緊張張りするのである。
【００１４】
図５はシート５を用いて風雨避難用のシェルター１６を組立てた例を示している。地表上に低く構えるようにして張設するほかはタープテント１１の組立ての場合とほぼ同じである。なお、シート５の左右側端２，３、下端４の一部を折畳み展開自由の二重構造等にしておいて、タープテントやシェルターとして使用するときにこれらの部分を展開して少し大きめのシートとすることもできる。
【産業上の利用可能性】
【００１５】
本考案は以上のようにして、１枚のシートの変形によってフード付きのポンチョ，寝袋，タープテントおよびシェルターとすることができるので、天候のかわりやすい山歩きなどに備えて携帯便利にして広く利用することができるものとなる。
【図面の簡単な説明】
【００１６】
【図１】シートを拡げた状態にて示す正面図
【図２】シートを中心より折り曲げ、フードを展開してポンチョとした使用例を示す正面図
【図３】左右側端の合わせ止めと下端の合わせ閉じにより寝袋とした使用例を示す平面図
【図４】（ａ）はテント支柱を用いたタープテント、（ｂ）は立木の枝等を利用したタープテントの張設使用例を示す斜視図
【図５】シェルターとしての使用例を示す斜視図
【符号の説明】
【００１７】
１は上端
１ａは引き絞り用の通し紐
２，３は左右側端
４は下端
５は兼用シート
６は円形孔
６ａは孔縁
７はフード
７ａは引き絞り紐
８はフード付きのポンチョ
９は寝袋
１０はファスナー
１１はタープテント
１２はテント支柱
１３はロープ
１４は紐通し輪
１５は止部
１６はシェルター
【図１】
0003107180.tif 000003
【図２】
0003107180.tif 000004
【図３】
0003107180.tif 000005
【図４】
0003107180.tif 000006
【図５】
0003107180.tif 000007